【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】
切削加工前の被切削対象の解析モデルを作成する解析モデル作成機能と、
ＮＣデータから切削工具の切削軌跡情報を抽出する切削軌跡情報抽出機能と、
該切削軌跡情報抽出機能により抽出された切削軌跡情報に基づいて、前記解析モデル作成機能により作成された解析モデルから、前記切削工具の切削軌跡に位置する部分を削除する削除機能と、
前記削除機能により削除された解析モデルに対して、構造解析を随時行なう構造解析機能と、
該構造解析機能により構造解析された解析結果を表示する解析結果表示機能と、
をコンピュータに実現させるための切削加工シミュレーションプログラムを記録したコンピュータ読取可能な記録媒体。
【請求項２】
前記解析モデル作成機能により作成された解析モデルを包含する直方体からなるボクセル空間を設定するボクセル空間設定機能を備え、
前記削除機能は、前記ボクセル空間設定機能により設定されたボクセル空間内に切削工具の切削軌跡があるときに、前記解析モデルから切削工具の切削軌跡に位置するボクセルを削除する構成である請求項１記載の切削加工シミュレーションプログラムを記録したコンピュータ読取可能な記録媒体。
【請求項３】
前記削除機能は、前記切削工具の移動速度に応じた時間間隔で、該切削工具の切削軌跡に位置する部分を削除する構成である請求項１記載の切削加工シミュレーションプログラムを記録したコンピュータ読取可能な記録媒体。
【請求項４】
前記解析モデル作成機能は、ＣＡＤデータから解析モデルを作成する構成である請求項１〜請求項３のいずれか１つに記載の切削加工シミュレーションプログラムを記録したコンピュータ読取可能な記録媒体。
【請求項５】
切削加工前の被切削対象の解析モデルを作成する解析モデル作成手段と、
ＮＣデータから切削工具の切削軌跡情報を抽出する切削軌跡情報抽出手段と、
該切削軌跡情報抽出手段により抽出された切削軌跡情報に基づいて、前記解析モデル作成手段により作成された解析モデルから、前記切削工具の切削軌跡に位置する部分を削除する削除手段と、
前記削除手段により削除された解析モデルに対して、構造解析を随時行なう構造解析手段と、
該構造解析手段により構造解析された解析結果を表示する解析結果表示手段と、
を含んで構成されたことを特徴とする切削加工シミュレーション装置。
【請求項６】
前記解析モデル作成手段により作成された解析モデルを包含する直方体からなるボクセル空間を設定するボクセル空間設定手段を備え、
前記削除手段は、前記ボクセル空間設定手段により設定されたボクセル空間内に切削工具の切削軌跡があるときに、前記解析モデルから切削工具の切削軌跡に位置するボクセルを削除する構成である請求項５記載の切削加工シミュレーション装置。
【請求項７】
前記削除手段は、前記切削工具の移動速度に応じた時間間隔で、該切削工具の切削軌跡に位置する部分を削除する構成である請求項５記載の切削加工シミュレーション装置。
【請求項８】
前記解析モデル作成手段は、ＣＡＤデータから解析モデルを作成する構成である請求項５〜請求項７のいずれか１つに記載の切削加工シミュレーション装置。
【請求項９】
切削加工前の被切削対象の解析モデルを作成する解析モデル作成工程と、
ＮＣデータから切削工具の切削軌跡情報を抽出する切削軌跡情報抽出工程と、
該切削軌跡情報抽出工程により抽出された切削軌跡情報に基づいて、前記解析モデル作成工程により作成された解析モデルから、前記切削工具の切削軌跡に位置する部分を削除する削除工程と、
前記削除工程により削除された解析モデルに対して、構造解析を随時行なう構造解析工程と、
該構造解析工程により構造解析された解析結果を表示する解析結果表示工程と、
を含んで構成されたことを特徴とする切削加工シミュレーション方法。
【手続補正２】
【補正対象書類名】明細書
【補正対象項目名】０００６
【補正方法】変更
【補正の内容】
【０００６】
【課題を解決するための手段】
このため、請求項１記載の発明では、切削加工前の被切削対象の解析モデルを作成する解析モデル作成機能と、ＮＣデータから切削工具の切削軌跡情報を抽出する切削軌跡情報抽出機能と、該切削軌跡情報抽出機能により抽出された切削軌跡情報に基づいて、前記解析モデル作成機能により作成された解析モデルから、前記切削工具の切削軌跡に位置する部分を削除する削除機能と、前記削除機能により削除された解析モデルに対して、構造解析を随時行なう構造解析機能と、該構造解析機能により構造解析された解析結果を表示する解析結果表示機能と、をコンピュータに実現させるための切削加工シミュレーションプログラムをコンピュータ読取可能な記録媒体に記録したことを特徴とする。
【手続補正３】
【補正対象書類名】明細書
【補正対象項目名】０００７
【補正方法】変更
【補正の内容】
【０００７】
ここで、「記録媒体」とは、各種情報を確実に記録でき、かつ、必要に応じて取り出し可能なものをいい、磁気テープ，磁気ディスク，磁気ドラム，ＩＣカード，ＣＤ−ＲＯＭ，ＤＶＤ−ＲＯＭ等が該当する。
【手続補正４】
【補正対象書類名】明細書
【補正対象項目名】０００８
【補正方法】変更
【補正の内容】
【０００８】
かかる構成によれば、被切削対象の解析モデルから、切削工具の切削軌跡に位置する部分が削除される。そして、この解析モデルに対して構造解析が随時実行され、その解析結果が表示される。従って、切削途中における被切削対象の形状を特定するＣＡＤデータを作成しなくとも、被切削対象の形状は特定されることとなり、切削途中の被切削対象の構造解析が容易に行なわれるようになる。このため、従来技術では極めて困難であった、ＣＡＥによる切削シミュレーションが容易に実現される。
【手続補正５】
【補正対象書類名】明細書
【補正対象項目名】０００９
【補正方法】変更
【補正の内容】
【０００９】
また、このような切削シミュレーションを実現するための解析モデル作成機能，切削軌跡情報抽出機能，削除機能，構造解析機能及び解析結果表示機能がコンピュータ読取可能な記録媒体に記録されれば、一般的なコンピュータを利用して、本発明に係る切削加工シミュレーション装置を容易に構築することが可能となる。
【手続補正６】
【補正対象書類名】明細書
【補正対象項目名】００１０
【補正方法】変更
【補正の内容】
【００１０】
請求項２記載の発明では、前記解析モデル作成機能により作成された解析モデルを包含する直方体からなるボクセル空間を設定するボクセル空間設定機能を備え、前記削除機能は、前記ボクセル空間設定機能により設定されたボクセル空間内に切削工具の切削軌跡があるときに、前記解析モデルから切削工具の切削軌跡に位置するボクセルを削除する構成であることを特徴とする。
【手続補正７】
【補正対象書類名】明細書
【補正対象項目名】００１１
【補正方法】変更
【補正の内容】
【００１１】
ここで、「ボクセル」とは、画像を構成する微小正方形（Pixel）に対して、空間を構成する微小直方体（Voxel；Volume Pixel）のことをいう。
かかる構成によれば、例えば、切削工具の交換を行なう場合のように、切削工具が被切削対象から離れるときには、ボクセル削除処理が行なわれないので、不要な処理の実行が回避され、処理速度が向上する。
【手続補正８】
【補正対象書類名】明細書
【補正対象項目名】００１２
【補正方法】変更
【補正の内容】
【００１２】
請求項３記載の発明では、前記削除機能は、前記切削工具の移動速度に応じた時間間隔で、該切削工具の切削軌跡に位置する部分を削除する構成であることを特徴とする。
【手続補正９】
【補正対象書類名】明細書
【補正対象項目名】００１３
【補正方法】変更
【補正の内容】
【００１３】
かかる構成によれば、切削工具の移動速度に応じた適切な時間間隔を設定することで、削除処理において、必ず隣接する部分が削除されることとなり、切削加工シミュレーションの精度が向上する。
【手続補正１０】
【補正対象書類名】明細書
【補正対象項目名】００１５
【補正方法】変更
【補正の内容】
【００１５】
請求項５記載の発明では、切削加工前の被切削対象の解析モデルを作成する解析モデル作成手段と、ＮＣデータから切削工具の切削軌跡情報を抽出する切削軌跡情報抽出手段と、該切削軌跡情報抽出手段により抽出された切削軌跡情報に基づいて、前記解析モデル作成手段により作成された解析モデルから、前記切削工具の切削軌跡に位置する部分を削除する削除手段と、前記削除手段により削除された解析モデルに対して、構造解析を随時行なう構造解析手段と、該構造解析手段により構造解析された解析結果を表示する解析結果表示手段と、を含んで切削加工シミュレーション装置を構成したことを特徴とする。
【手続補正１１】
【補正対象書類名】明細書
【補正対象項目名】００１６
【補正方法】変更
【補正の内容】
【００１６】
かかる構成によれば、被切削対象の解析モデルから、切削工具の切削軌跡に位置する部分が削除される。そして、この解析モデルに対して構造解析が随時実行され、その解析結果が表示される。従って、切削途中における被切削対象の形状を特定するＣＡＤデータを作成しなくとも、被切削対象の形状は特定されることとなり、切削途中の被切削対象の構造解析が容易に行なわれるようになる。このため、従来技術では極めて困難であった、ＣＡＥによる切削シミュレーションが容易に実現される。
【手続補正１２】
【補正対象書類名】明細書
【補正対象項目名】００１７
【補正方法】変更
【補正の内容】
【００１７】
請求項６記載の発明では、前記解析モデル作成手段により作成された解析モデルを包含する直方体からなるボクセル空間を設定するボクセル空間設定手段を備え、前記削除手段は、前記ボクセル空間設定手段により設定されたボクセル空間内に切削工具の切削軌跡があるときに、前記解析モデルから切削工具の切削軌跡に位置するボクセルを削除する構成であることを特徴とする。
【手続補正１３】
【補正対象書類名】明細書
【補正対象項目名】００１９
【補正方法】変更
【補正の内容】
【００１９】
請求項７記載の発明では、前記削除手段は、前記切削工具の移動速度に応じた時間間隔で、該切削工具の切削軌跡に位置する部分を削除する構成であることを特徴とする。
【手続補正１４】
【補正対象書類名】明細書
【補正対象項目名】００２０
【補正方法】変更
【補正の内容】
【００２０】
かかる構成によれば、切削工具の移動速度に応じた適切な時間間隔を設定することで、削除処理において、必ず隣接する部分が削除されることとなり、切削加工シミュレーションの精度が向上する。
【手続補正１５】
【補正対象書類名】明細書
【補正対象項目名】００２２
【補正方法】変更
【補正の内容】
【００２２】
請求項９記載の発明では、切削加工前の被切削対象の解析モデルを作成する解析モデル作成工程と、ＮＣデータから切削工具の切削軌跡情報を抽出する切削軌跡情報抽出工程と、該切削軌跡情報抽出工程により抽出された切削軌跡情報に基づいて、前記解析モデル作成工程により作成された解析モデルから、前記切削工具の切削軌跡に位置する部分を削除する削除工程と、前記削除工程により削除された解析モデルに対して、構造解析を随時行なう構造解析工程と、該構造解析工程により構造解析された解析結果を表示する解析結果表示工程と、を含んで切削加工シミュレーション方法を構成したことを特徴とする。
【手続補正１６】
【補正対象書類名】明細書
【補正対象項目名】００２３
【補正方法】変更
【補正の内容】
【００２３】
かかる構成によれば、被切削対象の解析モデルから、切削工具の切削軌跡に位置する部分が削除される。そして、この解析モデルに対して構造解析が随時実行され、その解析結果が表示される。従って、切削途中における被切削対象の形状を特定するＣＡＤデータを作成しなくとも、被切削対象の形状は特定されることとなり、切削途中の被切削対象の構造解析が容易に行なわれるようになる。このため、従来技術では極めて困難であった、ＣＡＥによる切削シミュレーションが容易に実現される。
【手続補正１７】
【補正対象書類名】明細書
【補正対象項目名】００３４
【補正方法】変更
【補正の内容】
【００３４】
さらに、ボクセル削除処理では、解析モデル２２ａから削除されたボクセルを任意の時点まで復元できるようにするため、図示しない削除履歴が生成される。
なお、ボクセル削除部２８は、削除機能，削除手段及び削除工程として機能する。
【手続補正１８】
【補正対象書類名】明細書
【補正対象項目名】００５５
【補正方法】変更
【補正の内容】
【００５５】
請求項２又は請求項６に記載の発明によれば、不要な処理の実行が回避され、処理速度を向上することができる。
請求項３又は請求項７に記載の発明によれば、削除処理において、必ず隣接する部分が削除されることとなり、切削加工シミュレーションの精度を向上することができる。